(57)【特許請求の範囲】
【請求項１】
画面を表示する表示手段を備える端末装置において、
前記端末装置の傾きを検出する傾き検出手段と、
前記傾き検出手段によって検出される前記端末装置の傾き状態が所定状態になった場合に、前記画面を回転させる画面回転手段と、
前記画面を見るユーザを撮影するための撮影手段と、
前記撮影手段の撮影画像を取得する撮影画像取得手段と、
前記端末装置の傾き状態が前記所定状態になる前の前記撮影手段の撮影画像と、前記端末装置の傾き状態が前記所定状態になった時又は後の前記撮影手段の撮影画像とを比較する比較手段と、
前記比較手段の比較結果に基づいて、前記画面回転手段による前記画面の回転を抑止する抑止手段と、
を含み、
前記撮影手段による撮影は時間経過に伴って繰り返し実行され、
前記端末装置は、
前記画面回転手段による前記画面の回転が前記抑止手段によって抑止された後、前記画面回転手段による前記画面の回転を抑止し続ける抑止継続手段と、
前記撮影手段の撮影画像から前記ユーザを検出する手段と、
前記画面回転手段による前記画面の回転が前記抑止継続手段によって抑止され続けている状態において、前記撮影手段の撮影画像から前記ユーザが検出されない状態が所定期間にわたって継続した場合に、前記抑止継続手段による抑止を解除する手段と、をさらに含む、
ことを特徴とする端末装置。
【請求項２】
請求項１に記載の端末装置において、
前記比較手段は、前記端末装置の傾き状態が前記所定状態になる前の前記撮影手段の撮影画像であって、かつ、背景領域が除去された撮影画像と、前記端末装置の傾き状態が前記所定状態になった時又は後の前記撮影手段の撮影画像であって、かつ、背景領域が除去された撮影画像と、の差分値が閾値以下であるか否かを判定し、
前記抑止手段は、前記差分値が前記閾値以下である場合に、前記画面回転手段による前記画面の回転を抑止する、
ことを特徴とする端末装置。
【請求項３】
請求項１又は２に記載の端末装置において、
前記撮影手段は、前記撮影手段の動作状態を、撮影可能な第１状態と、前記第１状態よりも消費電力の小さい第２状態との間で変更可能に構成されており、
前記撮影画像取得手段は、
前記傾き検出手段によって検出される前記端末装置の傾き状態が前記所定状態になる前において、前記撮影手段の動作状態を前記第２状態から前記第１状態へと変更することによって前記撮影手段に撮影を実行させ、前記撮影手段による撮影が実行された後に、前記撮影手段の動作状態を前記第１状態から前記第２状態へと変更する手段と、
前記傾き検出手段によって検出される前記端末装置の傾き状態が前記所定状態になった時又は後において、前記撮影手段の動作状態を前記第２状態から前記第１状態へと変更することによって前記撮影手段に撮影を実行させ、前記撮影手段による撮影が実行された後に、前記撮影手段の動作状態を前記第１状態から前記第２状態へと変更する手段と、を含む、
ことを特徴とする端末装置。
【請求項４】
請求項１乃至３のいずれかに記載の端末装置において、
前記画面回転手段による前記画面の回転が前記抑止継続手段によって抑止され続けている状態において、前記傾き検出手段によって検出される前記端末装置の傾きの変化が閾値以上になった場合に、前記抑止継続手段による抑止を解除する手段を含む、
ことを特徴とする端末装置。
【請求項５】
画面を表示する表示手段と、前記画面を見るユーザを撮影するための撮影手段と、を備える端末装置の制御方法において、
前記端末装置の傾きを検出する傾き検出手段の検出結果を取得するステップと、
前記傾き検出手段によって検出される前記端末装置の傾き状態が所定状態になった場合に、前記画面を回転させる画面回転ステップと、
前記撮影手段の撮影画像を取得する撮影画像取得ステップと、
前記端末装置の傾き状態が前記所定状態になる前の前記撮影手段の撮影画像と、前記端末装置の傾き状態が前記所定状態になった時又は後の前記撮影手段の撮影画像とを比較する比較ステップと、
前記比較ステップにおける比較結果に基づいて、前記画面回転ステップによる前記画面の回転を抑止する抑止ステップと、
を含み、
前記撮影手段による撮影は時間経過に伴って繰り返し実行され、
前記制御方法は、
前記画面回転ステップによる前記画面の回転が前記抑止ステップによって抑止された後、前記画面回転ステップによる前記画面の回転を抑止し続ける抑止継続ステップと、
前記撮影手段の撮影画像から前記ユーザを検出するステップと、
前記画面回転ステップによる前記画面の回転が前記抑止継続ステップによって抑止され続けている状態において、前記撮影手段の撮影画像から前記ユーザが検出されない状態が所定期間にわたって継続した場合に、前記抑止継続ステップによる抑止を解除するステップと、をさらに含む、
ことを特徴とする端末装置の制御方法。
【請求項６】
画面を表示する表示手段と、前記画面を見るユーザを撮影するための撮影手段と、を備える端末装置に、
前記端末装置の傾きを検出する傾き検出手段の検出結果を取得するステップと、
前記傾き検出手段によって検出される前記端末装置の傾き状態が所定状態になった場合に、前記画面を回転させる画面回転ステップと、
前記撮影手段の撮影画像を取得する撮影画像取得ステップと、
前記端末装置の傾き状態が前記所定状態になる前の前記撮影手段の撮影画像と、前記端末装置の傾き状態が前記所定状態になった時又は後の前記撮影手段の撮影画像とを比較する比較ステップと、
前記比較ステップにおける比較結果に基づいて、前記画面回転ステップによる前記画面の回転を抑止する抑止ステップと、
を実行させるプログラムであって、
前記撮影手段による撮影は時間経過に伴って繰り返し実行され、
前記プログラムは、
前記画面回転ステップによる前記画面の回転が前記抑止ステップによって抑止された後、前記画面回転ステップによる前記画面の回転を抑止し続ける抑止継続ステップと、
前記撮影手段の撮影画像から前記ユーザを検出するステップと、
前記画面回転ステップによる前記画面の回転が前記抑止継続ステップによって抑止され続けている状態において、前記撮影手段の撮影画像から前記ユーザが検出されない状態が所定期間にわたって継続した場合に、前記抑止継続ステップによる抑止を解除するステップと、を前記端末装置にさらに実行させる、
ことを特徴とするプログラム。
【請求項７】
画面を表示する表示手段と、前記画面を見るユーザを撮影するための撮影手段と、を備える端末装置に、
前記端末装置の傾きを検出する傾き検出手段の検出結果を取得するステップと、
前記傾き検出手段によって検出される前記端末装置の傾き状態が所定状態になった場合に、前記画面を回転させる画面回転ステップと、
前記撮影手段の撮影画像を取得する撮影画像取得ステップと、
前記端末装置の傾き状態が前記所定状態になる前の前記撮影手段の撮影画像と、前記端末装置の傾き状態が前記所定状態になった時又は後の前記撮影手段の撮影画像とを比較する比較ステップと、
前記比較ステップにおける比較結果に基づいて、前記画面回転ステップによる前記画面の回転を抑止する抑止ステップと、
を実行させるプログラムであって、
前記撮影手段による撮影は時間経過に伴って繰り返し実行され、
前記プログラムは、
前記画面回転ステップによる前記画面の回転が前記抑止ステップによって抑止された後、前記画面回転ステップによる前記画面の回転を抑止し続ける抑止継続ステップと、
前記撮影手段の撮影画像から前記ユーザを検出するステップと、
前記画面回転ステップによる前記画面の回転が前記抑止継続ステップによって抑止され続けている状態において、前記撮影手段の撮影画像から前記ユーザが検出されない状態が所定期間にわたって継続した場合に、前記抑止継続ステップによる抑止を解除するステップと、を前記端末装置にさらに実行させる、
ことを特徴とするプログラムを記録したコンピュータ読み取り可能な情報記憶媒体。
【発明の詳細な説明】
【技術分野】
【０００１】
本発明は端末装置、端末装置の制御方法、プログラム、及び情報記憶媒体に関する。
【背景技術】
【０００２】
表示部に表示される画面を端末装置の姿勢（傾き）に応じて自動的に回転させる機能を備えた端末装置が知られている（例えば特許文献１）。例えば、このような端末装置では、図１１に示すようにユーザＵが端末装置Ｔを縦向き状態（言い換えれば、ユーザＵから見て端末装置Ｔが縦長に見える状態）で持っている場合、図１２に示すように端末装置Ｔの長手方向と平行するように画面の向きが設定される。また例えば、図１３に示すようにユーザＵが端末装置Ｔを横向き状態（言い換えれば、ユーザＵから見て端末装置Ｔが横長に見える状態）に持ち替えた場合、画面が回転し、図１４に示すように端末装置Ｔの短手方向と平行するように画面の向きが設定される。
【先行技術文献】
【特許文献】
【０００３】
【特許文献１】特開２００８−１３１６１６号公報
【発明の概要】
【発明が解決しようとする課題】
【０００４】
しかしながら、ユーザＵの使用状態によっては画面の自動回転機能を一時的に抑止したい場合がある。【０００５】
例えば、図１１に示すようにユーザＵがソファに座って端末装置Ｔを縦向き状態で持って使用する状態から、図１５に示すようにユーザＵがソファで横になって端末装置Ｔを使用する状態へと変わった場合には、図１３，１４に示す場合と同様に、画面が回転してしまう。この場合、ユーザＵから見える画面は例えば図１６に示すようになってしまい、画面が見難くなってしまう。【０００６】
一般的に、端末装置では、画面の自動回転機能を無効に設定することが可能になっている。このため、画面の自動回転機能を無効に設定すれば、上記のような不都合は生じなくなる。しかしながら、画面の自動回転機能を無効に設定してしまうと、画面が自動的に回転してほしい場合（例えば、ユーザＵの端末装置Ｔの使用状態が図１１に示す状態から図１３に示す状態へと変わる場合）にも、画面が回転しなくなってしまう。【０００７】
以上のように、ユーザＵは画面の自動回転機能を恒常的に抑止したいわけでなく、特定の場合（例えば、ユーザＵの端末装置Ｔの使用状態が図１１に示す状態から図１５に示す状態へと変わる場合）に画面の自動回転機能を一時的に抑止したいと考える。この点、従来の端末装置では、画面の自動回転機能を一時的に抑止したい場合であっても、画面の自動回転機能を恒常的に抑止する場合と同様に、端末装置の設定を変える必要があり、ユーザＵが煩わしさを感じてしまう場合があった。【０００８】
本発明は上記課題に鑑みてなされたものであって、その目的は、画面の自動回転機能を一時的に抑止するために、画面の自動回転機能を恒常的に抑止する場合と同様の端末装置の設定変更を行う必要がない端末装置、端末装置の制御方法、プログラム、及び情報記憶媒体を提供することにある。
【課題を解決するための手段】
【０００９】
上記課題を解決するために、本発明に係る端末装置は、画面を表示する表示手段を備える端末装置において、前記端末装置の傾きを検出する傾き検出手段と、前記傾き検出手段によって検出される前記端末装置の傾き状態が所定状態になった場合に、前記画面を回転させる画面回転手段と、前記画面を見るユーザを撮影するための撮影手段の撮影画像を取得する撮影画像取得手段と、前記端末装置の傾き状態が前記所定状態になる前の前記撮影手段の撮影画像と、前記端末装置の傾き状態が前記所定状態になった時又は後の前記撮影手段の撮影画像とを比較する比較手段と、前記比較手段の比較結果に基づいて、前記画面回転手段による前記画面の回転を抑止する抑止手段と、を含むことを特徴とする。【００１０】
また、本発明に係る端末装置の制御方法は、画面を表示する表示手段を備える端末装置の制御方法において、前記端末装置の傾きを検出する傾き検出手段の検出結果を取得するステップと、前記傾き検出手段によって検出される前記端末装置の傾き状態が所定状態になった場合に、前記画面を回転させる画面回転ステップと、前記画面を見るユーザを撮影するための撮影手段の撮影画像を取得する撮影画像取得ステップと、前記端末装置の傾き状態が前記所定状態になる前の前記撮影手段の撮影画像と、前記端末装置の傾き状態が前記所定状態になった時又は後の前記撮影手段の撮影画像とを比較する比較ステップと、前記比較ステップにおける比較結果に基づいて、前記画面回転ステップによる前記画面の回転を抑止する抑止ステップと、を含むことを特徴とする。【００１１】
また、本発明に係るプログラムは、画面を表示する表示手段を備える端末装置に、前記端末装置の傾きを検出する傾き検出手段の検出結果を取得するステップと、前記傾き検出手段によって検出される前記端末装置の傾き状態が所定状態になった場合に、前記画面を回転させる画面回転ステップと、前記画面を見るユーザを撮影するための撮影手段の撮影画像を取得する撮影画像取得ステップと、前記端末装置の傾き状態が前記所定状態になる前の前記撮影手段の撮影画像と、前記端末装置の傾き状態が前記所定状態になった時又は後の前記撮影手段の撮影画像とを比較する比較ステップと、前記比較ステップにおける比較結果に基づいて、前記画面回転ステップによる前記画面の回転を抑止する抑止ステップと、を実行させるためのプログラムである。【００１２】
また、本発明に係る情報記憶媒体は、画面を表示する表示手段を備える端末装置に、前記端末装置の傾きを検出する傾き検出手段の検出結果を取得するステップと、前記傾き検出手段によって検出される前記端末装置の傾き状態が所定状態になった場合に、前記画面を回転させる画面回転ステップと、前記画面を見るユーザを撮影するための撮影手段の撮影画像を取得する撮影画像取得ステップと、前記端末装置の傾き状態が前記所定状態になる前の前記撮影手段の撮影画像と、前記端末装置の傾き状態が前記所定状態になった時又は後の前記撮影手段の撮影画像とを比較する比較ステップと、前記比較ステップにおける比較結果に基づいて、前記画面回転ステップによる前記画面の回転を抑止する抑止ステップと、を実行させるためのプログラムを記録したコンピュータ読み取り可能な情報記憶媒体である。【００１３】
また、本発明の一態様では、前記撮影手段は、前記撮影手段の動作状態を、撮影可能な第１状態と、前記第１状態よりも消費電力の小さい第２状態との間で変更可能に構成されており、前記撮影画像取得手段は、前記傾き検出手段によって検出される前記端末装置の傾き状態が前記所定状態になる前において、前記撮影手段の動作状態を前記第２状態から前記第１状態へと変更することによって前記撮影手段に撮影を実行させ、前記撮影手段による撮影が実行された後に、前記撮影手段の動作状態を前記第１状態から前記第２状態へと変更する手段と、前記傾き検出手段によって検出される前記端末装置の傾き状態が前記所定状態になった時又は後において、前記撮影手段の動作状態を前記第２状態から前記第１状態へと変更することによって前記撮影手段に撮影を実行させ、前記撮影手段による撮影が実行された後に、前記撮影手段の動作状態を前記第１状態から前記第２状態へと変更する手段と、を含むようにしてもよい。【００１４】
また、本発明の一態様では、前記画面回転手段による前記画面の回転が前記抑止手段によって抑止された後、前記画面回転手段による前記画面の回転を抑止し続ける抑止継続手段を含むようにしてもよい。【００１５】
また、本発明の一態様では、前記画面回転手段による前記画面の回転が前記抑止継続手段によって抑止され続けている状態において、前記傾き検出手段によって検出される前記端末装置の傾きの変化が閾値以上になった場合に、前記抑止継続手段による抑止を解除する手段を含むようにしてもよい。【００１６】
また、本発明の一態様では、前記撮影手段による撮影は時間経過に伴って繰り返し実行され、前記端末装置は、前記撮影手段の撮影画像から前記ユーザを検出する手段と、前記画面回転手段による前記画面の回転が前記抑止継続手段によって抑止され続けている状態において、前記撮影手段の撮影画像から前記ユーザが検出されない状態が所定期間にわたって継続した場合に、前記抑止継続手段による抑止を解除する手段を含むようにしてもよい。【００１７】
また、本発明の一態様では、前記比較手段は、前記端末装置の傾き状態が前記所定状態になる前の前記撮影手段の撮影画像における前記ユーザの向きと、前記端末装置の傾き状態が前記所定状態になった時又は後の前記撮影手段の撮影画像における前記ユーザの向きと、の相違の程度が所定の程度以内であるか否かを判定し、前記抑止手段は、前記相違の程度が前記所定の程度以内である場合に、前記画面回転手段による前記画面の回転を抑止するようにしてもよい。【００１８】
また、本発明の一態様では、前記比較手段は、前記端末装置の傾き状態が前記所定状態になる前の前記撮影手段の撮影画像と、前記端末装置の傾き状態が前記所定状態になった時又は後の前記撮影手段の撮影画像と、の相違の程度が所定の程度以内であるか否かを判定し、前記抑止手段は、前記相違の程度が前記所定の程度以内である場合に、前記画面回転手段による前記画面の回転を抑止するようにしてもよい。
【発明の効果】
【００１９】
本発明によれば、画面の自動回転機能を一時的に抑止するために、画面の自動回転機能を恒常的に抑止する場合と同様の端末装置の設定変更を行う必要がない。
【図面の簡単な説明】
【００２０】
【図１】本発明の実施形態に係る端末装置のハードウェア構成の一例を示す図である。
【図２】本発明の実施形態に係る端末装置の外観の一例を示す図である。
【図３】本発明の実施形態に係る端末装置の機能ブロック図である。
【図４】画面回転部の機能（画面の自動回転機能）について説明するための図である。
【図５】記憶部に記憶されるデータの一例を示す図である。
【図６】撮影画像の一例を示す図である。
【図７】撮影画像の他の一例を示す図である。
【図８】顔の向きを特定する方法について説明するための図である。
【図９】端末装置で実行される処理の一例を示すフロー図である。
【図１０】端末装置で実行される他の処理の一例を示すフロー図である。
【図１１】従来の端末装置について説明するための図である。
【図１２】従来の端末装置について説明するための図である。
【図１３】従来の端末装置について説明するための図である。
【図１４】従来の端末装置について説明するための図である。
【図１５】従来の端末装置について説明するための図である。
【図１６】従来の端末装置について説明するための図である。
【発明を実施するための形態】
【００２１】
以下、本発明の実施形態の例について図面に基づき詳細に説明する。
【００２２】
本発明の実施形態に係る端末装置は、例えば携帯情報端末、携帯電話機、又は携帯ゲーム機等の携帯端末装置によって実現される。図１は、本実施形態に係る端末装置１０のハードウェア構成の一例を示し、図２は、本実施形態に係る端末装置１０の外観の一例を示す。
【００２３】
図１に示すように、端末装置１０は、制御部１１、記憶部１２、通信部１３、操作部１４、撮影部１５、姿勢検出センサ１６、表示部１７、及び音声出力部１８を含む。制御部１１は例えば１又は複数のマイクロプロセッサを含み、記憶部１２に記憶されたオペレーティングシステム又はプログラムに従って情報処理を実行する。記憶部１２は主記憶部（例えばＲＡＭ）及び補助記憶部（例えばハードディスク又はソリッドステートドライブ）を含む。
【００２４】
通信部１３は通信ネットワークを介して他の装置とデータ通信を行うためのものである。プログラム及びデータは通信ネットワークを介して端末装置１０の記憶部１２に供給される。なお、端末装置１０は、メモリカード又は光ディスク等の情報記憶媒体に記憶されたプログラム又はデータを読み取るための構成要素を含むようにしてもよい。そして、情報記憶媒体から読み出されたプログラム又はデータが記憶部１２に記憶されるようにしてもよい。
【００２５】
操作部１４はユーザが操作を行うためのものである。例えば、操作部１４は、端末装置１０の表面に設けられたボタン１４Ｂを含む（図２参照）。なお、操作部１４はボタン１４Ｂ以外の操作部材（例えばスティック又はレバー等）を含むようにしてもよい。
【００２６】
また操作部１４は、ユーザによって指示された表示部１７の画面内の位置を検出する指示位置検出部を含む。例えば、表示部１７の上に重ねて設けられるタッチパネル１４Ｔを操作部１４は含む。タッチパネル１４Ｔは一般的なタッチパネルであり、ユーザによって接触された位置を検出する。タッチパネル１４Ｔとしては、例えば静電容量方式のタッチパネルが用いられる。静電容量方式のタッチパネルでは、タッチパネルの表面がユーザによって接触された場合に生じる電荷の変化に基づいて、ユーザによって接触されている１又は複数の位置が検出される。なお、タッチパネル１４Ｔとしては、例えば抵抗膜方式等の他の方式のタッチパネルが用いられるようにしてもよい。また、タッチパネル１４Ｔは液晶表示ディスプレイ（表示部）と一体的に形成されていてもよい。
【００２７】
ユーザによって接触されている位置を示す情報が所定時間（例えば１／６０秒）ごとに制御部１１に供給される。ユーザによって接触されている位置は例えばスクリーン座標系の座標値として表される。なお、「スクリーン座標系」は、例えば図２に示すような状態における左上頂点を原点Ｏとし、右方向をＸｓ軸正方向とし、下方向をＹｓ軸正方向とするような座標系である。制御部１１は、タッチパネルから供給される情報に基づいて、ユーザによって接触されている位置を取得する。
【００２８】
撮影部１５は例えばＣＣＤ等の撮像素子である。図２に示すように、撮影部１５は、表示部１７が設けられた面と同じ面に設けられており、表示部１７と対向する被写体を撮影可能に設けられている。このため、表示部１７に表示される画面を見るユーザを撮影部１５によって撮影することが可能である。
【００２９】
撮影部１５は静止画を撮影することが可能である。また、撮影部１５は動画を撮影することも可能である。例えば、撮影部１５は所定時間（例えば１／６０秒）ごとに撮影を行う。撮影部１５によって撮影された静止画又は動画は記憶部１２に保存される。
【００３０】
なお、撮影部１５は、撮影部１５の動作状態を撮影可能状態と撮影待機状態との間で切り替え可能に構成されている。「撮影可能状態」とは、撮影部１５への電力供給が行われている状態であり、文字通り、撮影が可能な状態である。一方、「撮影待機状態」とは、撮影可能状態よりも消費電力の少ない状態であり、例えば「撮影不可能状態」、「スリープ状態」、又は「オフ状態」等と言い換えることができる。
【００３１】
姿勢検出センサ１６は、端末装置１０の姿勢（傾き）を検出するための一又は複数のセンサを含む。例えば、姿勢検出センサ１６は加速度センサ及びジャイロセンサの少なくとも一方を含む。
【００３２】
例えば、加速度センサは互いに直交する三つの軸方向（Ｘ軸方向、Ｙ軸方向、及びＺ軸方向）の加速度を検出する。図２に示すように、端末装置１０は矩形形状を有しており、Ｘ軸は端末装置１０の短手方向に対応し、Ｙ軸は端末装置１０の長手方向に対応する。また、Ｚ軸は端末装置１０の奥行き方向に対応する。
【００３３】
また例えば、ジャイロセンサは互いに直交する三つの軸（Ｘ軸、Ｙ軸、及びＺ軸）の角速度を検出する。すなわち、ジャイロセンサは、端末装置１０がＸ軸を回転軸として回転した場合の単位時間当たりの回転量を検出する。同様に、ジャイロセンサは、端末装置１０がＹ軸を回転軸として回転した場合の単位時間当たりの回転量を検出する。さらに、ジャイロセンサは、端末装置１０がＺ軸を回転軸として回転した場合の単位時間当たりの回転量を検出する。
【００３４】
姿勢検出センサ１６の検出結果を示す情報は所定時間（例えば１／６０秒）ごとに制御部１１に供給される。制御部１１は姿勢検出センサ１６の検出結果に基づいて端末装置１０の姿勢（傾き）を判断する。
【００３５】
例えば、制御部１１は加速度センサの検出結果に基づいて端末装置１０の姿勢（傾き）を判断する。例えば、制御部１１は、重力加速度がＸ軸方向、Ｙ軸方向、及びＺ軸方向の加速度としてどのように検出されているかに基づいて、端末装置１０の姿勢（傾き）を判断する（後述の図４参照）。
【００３６】
また例えば、制御部１１はジャイロセンサの検出結果に基づいて端末装置１０の姿勢（傾き）を判断する。例えば、制御部１１は、ジャイロセンサによって検出された各軸の角速度を積分することによって、各軸を回転軸として端末装置１０がどの程度回転したかを判断する。
【００３７】
表示部１７は例えば液晶表示ディスプレイ又は有機ＥＬディスプレイ等であり、音声出力部１８は例えばスピーカ又はヘッドホン端子等である。
【００３８】
本実施形態に係る端末装置１０では、従来の端末装置と同様に、画面の自動回転機能を備えている（図１１〜図１４参照）。特に、本実施形態に係る端末装置１０は、画面の自動回転機能を一時的に抑止する機能を備えている。以下、この機能を実現するための構成について説明する。
【００３９】
図３は、本実施形態に係る端末装置１０において実現される機能ブロックのうち、上記機能に関連する機能ブロックを示す機能ブロック図である。図３に示すように、端末装置１０は、傾き検出部２０、表示制御部２２、撮影画像取得部２６、比較部２８、抑止部３０、抑止継続部３２、及び解除部３４を含む。
【００４０】
傾き検出部２０について説明する。傾き検出部２０は端末装置１０の傾きを検出する。本実施形態の場合、姿勢検出センサ１６（例えば加速度センサ）が傾き検出部２０に相当する。
【００４１】
表示制御部２２について説明する。表示制御部２２は画面を表示部１７に表示する。表示制御部２２は画面回転部２４を含む。
【００４２】
画面回転部２４は画面の自動回転機能に関するものである。画面回転部２４は、傾き検出部２０によって検出される端末装置１０の傾き状態（言い換えれば、重力方向に対する傾き具合）が所定状態になった場合に、画面を回転させる。
【００４３】
図４は画面回転部２４について説明するための図である。図４は、縦向き状態にある端末装置１０が横方向に徐々に傾いていき、横向き状態に至る場合を示している。また図４では、端末装置１０が縦向き状態から横向き状態へと変化する過程における代表的な状態として状態［ａ］〜［ｅ］を示している。
【００４４】
状態［ａ］は縦向き状態を示す。状態［ｂ］は縦向き状態から横方向に少し傾いた状態を示す。状態［ｃ］は縦向き状態から横方向に傾いた状態であって、かつ、状態［ｂ］よりも傾きの程度が大きい状態を示す。状態［ｄ］は縦向き状態から横方向に傾いた状態であって、かつ、状態［ｃ］よりも傾きの程度が大きい状態を示す。状態［ｅ］は横向き状態を示す。
【００４５】
また、図４に示すグラフは加速度センサ（姿勢検出センサ１６）の検出結果の一例を示す。なお、ここでは重力加速度のみを考慮している。実線のグラフはＹ軸方向の加速度を示し、点線のグラフはＸ軸方向の加速度を示す。ｔ軸は時間軸を示し、時点Ｔａ，Ｔｂ，Ｔｃ，Ｔｄ，Ｔｅは、それぞれ、端末装置１０の傾き状態が状態［ａ］，［ｂ］，［ｃ］，［ｄ］，［ｅ］になった時点を示す。ａ軸は加速度を示し、「Ｇ」は重力加速度を示す。
【００４６】
図４に示すように、縦向き状態（状態［ａ］）では重力加速度がＹ軸負方向への加速度として検出される。また、端末装置１０の傾きの程度が大きくなるのにつれて、Ｙ軸方向の加速度は零に近づいていき、その代わりにＸ軸方向の加速度が重力加速度に近づいていく。そして、横向き状態（状態［ｅ］）では重力加速度がＸ軸正方向への加速度として検出される。
【００４７】
例えば、画面の向きが表示部１７（端末装置１０）の長手方向と平行する状態（図１２）において、端末装置１０の傾き状態が状態［ｄ］になった場合に、画面回転部２４は画面を回転させ、画面の向きが表示部１７（端末装置１０）の短手方向と平行する状態（図１４）に変更する。なお、画面回転部２４は、端末装置１０の傾き状態が状態［ｃ］になった場合に画面を回転させ、画面の向きが表示部１７の長手方向と平行する状態から、画面の向きが表示部１７の短手方向と平行する状態に変更するようにしてもよい。
【００４８】
ここで、画面の向きが表示部１７の短手方向と平行する状態において、端末装置１０の傾き状態が状態［ｅ］から状態［ａ］へと変化する場合を想定する。このような場合、端末装置１０の傾き状態が状態［ｂ］になったら、画面回転部２４は画面を回転させ、画面の向きが表示部１７の長手方向と平行する状態に変更する。なお、画面回転部２４は、端末装置１０の傾き状態が状態［ｃ］になった場合に画面を回転させ、画面の向きが表示部１７の短手方向と平行する状態から、画面の向きが表示部１７の長手方向と平行する状態に変更するようにしてもよい。
【００４９】
なお、記憶部１２には図５に示すようなデータが記憶されている。図５に示すデータは表示方向フラグと回転抑止フラグとを含んでいる。なお、ここでは表示方向フラグのみについて説明し、回転抑止フラグについては後述する。
【００５０】
表示方向フラグは現在の画面の表示方向を示す情報である。例えば、値「０」又は「１」が表示方向フラグに設定される。例えば、値「０」は、画面の向きが表示部１７の長手方向と平行する状態に対応し、値「１」は、画面の向きが表示部１７の短手方向と平行する状態に対応する。すなわち、表示方向フラグが「０」である場合、画面の向きが表示部１７の長手方向と平行する状態に設定され、表示方向フラグが「１」である場合、画面の向きが表示部１７の短手方向と平行する状態に設定される。
【００５１】
画面回転部２４は、画面の向きが表示部１７の長手方向と平行する状態から、画面の向きが表示部１７の短手方向と平行する状態に変更する場合に、表示方向フラグを「０」から「１」に変更する。また、画面回転部２４は、画面の向きが表示部１７の短手方向と平行する状態から、画面の向きが表示部１７の長手方向と平行する状態に変更する場合に、表示方向フラグを「１」から「０」に変更する。
【００５２】
撮影画像取得部２６について説明する。撮影画像取得部２６は、画面を見るユーザを撮影するための撮影部１５の撮影画像を取得する。
【００５３】
図６及び図７は撮影部１５の撮影画像の例を示す。図６は、例えば図１１に示すようにユーザが端末装置１０を縦向き状態で持っている場合における撮影部１５の撮影画像４０を示す。この場合、撮影画像４０にはユーザがまっすぐに写る。
【００５４】
ユーザと端末装置１０との相対的位置関係が変わらないようにして、ユーザがソファに座っている状態から横になる場合（すなわち図１１に示す状態から図１５に示す状態へと変化した場合）には、ユーザと撮影部１５との相対的位置関係が変わらない。このため、ユーザがソファに座っている状態から横になる過程のいずれかの時点においても、図６に示すような撮影画像４０が撮影部１５によって撮影されることになる。
【００５５】
すなわち、上記過程において、撮影画像４０に写るユーザの向きは変化しない。つまり、撮影画像４０内の背景領域は変化するが、ユーザ領域（すなわちユーザが写っている領域）はほとんど変化しない。また、撮影画像４０内のユーザ領域は背景領域に比べて大きくなる傾向があるため、上記過程において、撮影画像４０の変化は比較的小さい。
【００５６】
一方、例えば、ユーザがソファに座った状態で端末装置１０を縦向き状態から横向き状態に持ち替えた場合（すなわち図１１に示す状態から図１３に示す状態へと変化した場合）には、ユーザと撮影部１５との相対的位置関係が変わる。このため、端末装置１０が縦向き状態から横向き状態に持ち替えられる過程において、撮影画像４０に写るユーザの向きは変化する。すなわち、この過程においては、例えば図７に示すようなユーザが斜めに写った撮影画像４０も撮影される。
【００５７】
比較部２８について説明する。比較部２８は、端末装置１０の傾き状態が所定状態になる前における撮影部１５の撮影画像４０と、端末装置１０の傾き状態が所定状態になった時又は後における撮影部１５の撮影画像４０とを比較する。
【００５８】
例えば、端末装置１０の傾き状態が状態［ｄ］になった場合に画面を回転させるように画面回転部２４が構成されている場合、状態［ｄ］が上記「所定状態」に相当する。
【００５９】
この場合、例えば、比較部２８は、時点Ｔｄ（端末装置１０の傾き状態が状態［ｄ］になる時点）の直前の時点である時点Ｔ１における撮影部１５の撮影画像４０と、時点Ｔｄの直後の時点である時点Ｔ２における撮影部１５の撮影画像４０とを比較する。
【００６０】
なお、比較部２８は、時点Ｔ１における撮影部１５の撮影画像４０と、時点Ｔｄにおける撮影部１５の撮影画像４０とを比較するようにしてもよい。
【００６１】
以下、比較部２８の機能例として二つの例について説明する。なお以下では、時点Ｔ１における撮影画像４０と、時点Ｔ２における撮影画像４０とを比較する場合を想定する。
【００６２】
［１］まず一つ目の例について説明する。例えば、比較部２８は、時点Ｔ１における撮影画像４０に写っているユーザの向きと、時点Ｔ２における撮影画像４０に写っているユーザの向きとを比較する。具体的には、比較部２８は、これら二つ撮影画像４０に写っているユーザの向きの相違の程度が所定の程度以内であるか否かを判定する。
【００６３】
例えば、比較部２８は撮影画像４０を対象として顔認識処理を実行する。そして、比較部２８は、顔認識処理の結果に基づいてユーザの顔の向きを取得する。
【００６４】
例えば図８に示すように、比較部２８は左目領域４２Ｌ及び右目領域４２Ｒを検出する。そして、比較部２８は、左目領域４２Ｌと右目領域４２Ｒとを結ぶ直線４４と直交する直線４６をユーザの顔の向きとして取得する。
【００６５】
そして、比較部２８は、時点Ｔ１の撮影画像４０における直線４６と、時点Ｔ２の撮影画像４０における直線４６とのなす角度が閾値以下であるか否かを判定する。そして、上記角度が閾値以下である場合、比較部２８は、それら二つの撮影画像４０に写っているユーザの向きの相違の程度が所定の程度以内であると判定する。
【００６６】
なお、撮影画像４０に写っているユーザの向き（ユーザの顔の向き）の取得方法又は比較方法は上記に説明した方法に限られない。例えば、撮影画像４０から鼻領域と口領域を検出するようにし、鼻領域と口領域とを結ぶ直線をユーザの顔の向きとして用いるようにしてもよい。その他、公知の様々な方法を利用することが可能である。
【００６７】
［２］次に二つ目の例について説明する。例えば、比較部２８は、時点Ｔ１における撮影画像４０と、時点Ｔ２における撮影画像４０との相違の程度が所定の程度以内であるか否かを判定する。
【００６８】
具体的には、比較部２８はそれら二つの撮影画像４０の差分値を算出する。なお、比較部２８は、公知の背景除去処理を用いて撮影画像４０の背景領域を除去し、背景領域が除去された二つの撮影画像４０の差分値を算出するようにしてもよい。
【００６９】
また、比較部２８は上記差分値が閾値以下であるか否かを判定する。そして、上記差分値が閾値以下である場合、比較部２８は上記二つの撮影画像４０の相違の程度が所定の程度以内であると判定する。
【００７０】
なお、撮影画像４０の相違の程度が所定の程度以内であるか否かの判定方法は上記に説明した方法に限られず、公知の様々な方法を用いることができる。
【００７１】
抑止部３０について説明する。抑止部３０は、比較部２８の比較結果に基づいて、画面回転部２４による画面の回転を抑止する。
【００７２】
例えば、比較部２８の比較結果が所定の結果である場合に、抑止部３０は画面回転部２４による画面の回転を抑止する。一方、比較部２８の比較結果が所定の結果でない場合、抑止部３０は画面回転部２４による画面の回転を抑止しない。
【００７３】
例えば、二つの撮影画像４０に写っているユーザの向きの相違の程度が所定の程度以内であると比較部２８によって判定された場合、抑止部３０は画面回転部２４による画面の回転を抑止する。一方、二つの撮影画像４０に写っているユーザの向きの相違の程度が所定の程度以内でないと比較部２８によって判定された場合、抑止部３０は画面回転部２４による画面の回転を抑止しない。
【００７４】
また例えば、二つの撮影画像４０の相違の程度が所定の程度以内であると比較部２８によって判定された場合、抑止部３０は画面回転部２４による画面の回転を抑止する。一方、二つの撮影画像４０の相違の程度が所定の程度以内でないと比較部２８によって判定された場合、抑止部３０は画面回転部２４による画面の回転を抑止しない。
【００７５】
抑止継続部３２について説明する。抑止継続部３２は、画面回転部２４による画面の回転が抑止部３０によって抑止された後、画面回転部２４による画面の回転を抑止し続ける。
【００７６】
画面回転部２４による画面の回転が抑止部３０によって抑止された場合に、抑止継続部３２は回転抑止フラグ（図５）を更新する。回転抑止フラグは、画面回転部２４による画面の回転を抑止するか否かを示す情報である。例えば、値「０」又は「１」が回転抑止フラグに設定される。例えば、値「０」は、画面回転部２４による画面の回転を抑止しないことを示し、値「１」は、画面回転部２４による画面の回転を抑止することを示す。
【００７７】
画面回転部２４による画面の回転が抑止部３０によって抑止された場合に、抑止継続部３２は回転抑止フラグを「１」に更新する。回転抑止フラグが「１」に設定されている間、画面回転部２４による画面の回転は実行されない。
【００７８】
先述のように、ユーザと端末装置１０との相対的位置関係が変わらないようにして、ユーザがソファに座って端末装置１０を使用している状態から横になった場合（すなわち図１１に示す状態から図１５に示す状態へと変化した場合）、その過程において、撮影画像４０に写るユーザの向きはほとんど変化せず、撮影画像４０の変化も小さい。
【００７９】
この点、比較部２８及び抑止部３０によれば、上記のような場合に画面回転部２４による画面の回転が抑止される。その結果、例えば、ソファの上で横になっているユーザ（図１５）から見える画面は図１６に示すような画面にはならず、図１２に示すような画面になる。
【００８０】
また、抑止継続部３２によれば、ユーザがソファの上で横になった後（すなわち図１５に示す状態へと変化した後）においても、画面回転部２４による画面の回転が抑止され続ける。すなわち、ユーザがソファの上で横になっている間においても、ユーザから見える画面は、例えば図１２に示すような状態であり続ける。
【００８１】
解除部３４について説明する。解除部３４は抑止継続部３２による抑止を解除する。本実施形態の場合、解除部３４は回転抑止フラグを「０」に更新することによって、抑止継続部３２による抑止を解除する。
【００８２】
例えば、画面回転部２４による画面の回転が抑止継続部３２によって抑止され続けている状態において、傾き検出部２０によって検出される端末装置１０の傾きの変化が閾値以上になった場合に、解除部３４は抑止継続部３２による抑止を解除する。このような解除部３４によれば、ユーザが端末装置１０の傾きを大きく変化させたような場合に、抑止継続部３２による抑止が解除され、画面の自動回転機能が有効になる。
【００８３】
また例えば、画面回転部２４による画面の回転が抑止継続部３２によって抑止され続けている状態において、解除部３４は、撮影画像４０からユーザが検出されたか否かを判定する。そして、最後に撮影画像４０からユーザが検出されてからの経過時間が所定時間になった場合に、解除部３４は抑止継続部３２による抑止を解除する。このような解除部３４によれば、例えばユーザが端末装置１０を使用しなくなってから所定時間が経過した場合に、抑止継続部３２による抑止が解除され、画面の自動回転機能が有効になる。
【００８４】
次に、上記に説明した機能ブロックを実現するために端末装置１０で実行される処理について説明する。
【００８５】
図９は、画面の自動回転機能を一時的に抑止するための処理の一例を示すフロー図である。制御部１１が図９に示す処理をプログラムに従って実行することによって、制御部１１が、表示制御部２２（画面回転部２４）、撮影画像取得部２６、比較部２８、抑止部３０、及び抑止継続部３２として機能するようになる。
【００８６】
なお、ここでは、図４に示すように、端末装置１０の傾き状態が状態［ａ］から状態［ｅ］へと変化する場合を想定する。また、端末装置１０の傾き状態が状態［ｄ］になった場合に画面を回転させる場合を想定する。
【００８７】
図９に示すように、制御部１１は端末装置１０の傾き状態が第１の所定状態になったか否かを判定する（Ｓ１０１）。
【００８８】
ここで、「第１の所定状態」とは、図４に示す状態［ｄ］よりも前の状態である。例えば、状態［ｄ］の直前の状態が「第１の所定状態」に相当する。具体的には、図４に示す時点Ｔ１における端末装置１０の傾き状態が「第１の所定状態」に相当する。
【００８９】
端末装置１０の傾き状態が第１の所定状態になったか否かは、加速度センサ（姿勢検出センサ１６）の検出結果に基づいて判定される。なお、端末装置１０の傾き状態が第２の所定状態になったか否かをジャイロセンサ（姿勢検出センサ１６）の検出結果に基づいて判定するようにしてもよい。
【００９０】
端末装置１０の傾き状態が第１の所定状態になったと判定された場合、制御部１１は撮影画像４０を取得する（Ｓ１０２）。
【００９１】
本実施形態の場合、通常、撮影部１５の動作状態が撮影待機状態に設定されている。このため、ステップＳ１０２において、まず制御部１１は撮影部１５の動作状態を撮影待機状態（スリープ状態又はオフ状態）から撮影可能状態（オン状態）に移行させる。そして、制御部１１は撮影部１５に撮影を実行させることによって、その時点の撮影画像４０を取得する。撮影画像４０の取得が完了した場合、制御部１１は撮影部１５の動作状態を撮影可能状態（オン状態）から撮影待機状態（スリープ状態又はオフ状態）に戻す。
【００９２】
なお、撮影部１５の動作状態を撮影可能状態に予め設定しておき、かつ、撮影部１５が所定時間（１／３０秒等）ごとに自動的に撮影を行うように予め設定しておくようにしてもよい。この場合、ステップＳ１０２において、制御部１１は最新の撮影画像４０を記憶部１２から読み出すことによって、撮影画像４０を取得するようにすればよい。
【００９３】
ステップＳ１０２が実行された後、制御部１１は端末装置１０の傾き状態が第２の所定状態になったか否かを判定する（Ｓ１０３）。
【００９４】
ここで、「第２の所定状態」とは、図４に示す状態［ｄ］よりも後の状態である。例えば、状態［ｄ］の直後の状態が「第２の所定状態」に相当する。例えば、図４に示す時点Ｔ２における端末状態１０の傾き状態が「第２の所定状態」に相当する。なお、「第２の所定状態」とは状態［ｄ］であってもよい。
【００９５】
例えば、端末装置１０の傾き状態が第２の所定状態になったか否かは、加速度センサ（姿勢検出センサ１６）の検出結果に基づいて判定される。なお、端末装置１０の傾き状態が第２の所定状態になったか否かをジャイロセンサ（姿勢検出センサ１６）の検出結果に基づいて判定するようにしてもよい。
【００９６】
端末装置１０の傾き状態が第２の所定状態になったと判定された場合、制御部１１は撮影画像４０を取得する（Ｓ１０４）。
【００９７】
ステップＳ１０４はステップＳ１０２と同様である。本実施形態の場合、通常、撮影部１５の動作状態が撮影待機状態に設定されている。このため、ステップＳ１０４において、まず制御部１１は撮影部１５の動作状態を撮影待機状態（スリープ状態又はオフ状態）から撮影可能状態（オン状態）に移行させる。そして、制御部１１は撮影部１５に撮影を実行させることによって、その時点の撮影画像４０を取得する。撮影画像４０の取得が完了した場合、制御部１１は撮影部１５の動作状態を撮影可能状態（オン状態）から撮影待機状態（スリープ状態又はオフ状態）に戻す。
【００９８】
なお、撮影部１５の動作状態を撮影可能状態に予め設定しておき、かつ、撮影部１５が所定時間（１／３０秒等）ごとに自動的に撮影を行うように予め設定しておくようにしてもよい。この場合、ステップＳ１０４において、制御部１１は最新の撮影画像４０を記憶部１２から読み出すことによって、撮影画像４０を取得するようにすればよい。
【００９９】
ステップＳ１０４が実行された後、制御部１１は、ステップＳ１０２で取得された撮影画像４０におけるユーザの向きと、ステップＳ１０４で取得された撮影画像４０におけるユーザの向きとの相違の程度が所定の程度以内であるか否かを判定する（Ｓ１０５）。
【０１００】
例えば、制御部１１は、ステップＳ１０２で取得された撮影画像４０を対象として顔認識処理を実行することによって顔を検出し、顔の向きを示すベクトルを取得する（図８の直線４６参照）。
【０１０１】
また制御部１１は、ステップＳ１０４で取得された撮影画像４０を対象として顔認識処理を実行することによって顔を検出し、顔の向きを示すベクトルを取得する（例えば図８の直線４６参照）。
【０１０２】
そして制御部１１は、上記二つのベクトルのなす角度が閾値未満であるか否かを判定する。上記の二つのベクトルのなす角度が閾値未満である場合、制御部１１はユーザの向きの相違の程度が所定の程度以内であると判定する。
【０１０３】
ユーザの向きの相違の程度が所定の程度以内であると判定されなかった場合、制御部１１は表示方向フラグを変更する（Ｓ１０６）。すなわち、制御部１１は表示方向フラグを「０」から「１」に変更する。この場合、画面が回転し、画面の向きが表示部１７の長手方向と平行する状態から、画面の向きが表示部１７の短手方向と平行する状態に切り替えられる。
【０１０４】
一方、ユーザの向きの相違の程度が所定の程度以内であると判定された場合、制御部１１は回転抑止フラグを変更する（Ｓ１０７）。例えば、制御部１１は回転抑止フラグを「０」から「１」に変更する。この場合、画面の自動回転機能が無効となり、画面が回転しなくなる。
【０１０５】
なお、ステップＳ１０５において、制御部１１は、ステップＳ１０２で取得された撮影画像４０と、ステップＳ１０４で取得された撮影画像４０との相違の程度が所定の程度以内であるか否かを判定するようにしてもよい。そして、撮影画像４０の相違の程度が所定の程度以内でない場合に制御部１１はステップＳ１０６を実行するようにしてもよい。一方、撮影画像４０の相違の程度が所定の程度以内である場合に制御部１１はステップＳ１０７を実行するようにしてもよい。
【０１０６】
図１０は、回転抑止フラグが「１」に設定されている場合に制御部１１が所定時間ごとに実行する処理の一例を示す。制御部１１が図１０に示す処理をプログラムに従って実行することによって、制御部１１が解除部３４として機能するようになる。
【０１０７】
図１０に示すように、制御部１１は、端末装置１０の傾きの変化として、閾値以上の変化が検出されたか否かを判定する（Ｓ２０１）。そして、閾値以上の変化が検出されたと判定された場合、制御部１１は回転抑止フラグを「１」から「０」に更新する（Ｓ２０６）。この場合、画面の自動回転機能が有効となり、その結果として、端末装置１０の傾きに応じて画面が回転するようになる。
【０１０８】
一方、閾値以上の変化が検出されなかったと判定された場合、制御部１１は撮影装置１０を取得する（Ｓ２０２）。
【０１０９】
本実施形態の場合、通常、撮影部１５の動作状態が撮影待機状態に設定されている。このため、ステップＳ２０２において、まず制御部１１は撮影部１５の動作状態を撮影待機状態（スリープ状態又はオフ状態）から撮影可能状態（オン状態）に移行させる。そして、制御部１１は撮影部１５に撮影を実行させることによって、その時点の撮影画像４０を取得する。撮影画像４０の取得が完了した場合、制御部１１は撮影部１５の動作状態を撮影可能状態（オン状態）から撮影待機状態（スリープ状態又はオフ状態）に戻す。
【０１１０】
なお例えば、撮影部１５の動作状態が撮影可能状態に予め設定されており、かつ、撮影部１５が所定時間（１／３０秒等）ごとに自動的に撮影を行うように予め設定されているのであれば、制御部１１は最新の撮影画像４０を記憶部１２から読み出す。
【０１１１】
そして、制御部１１は、撮影画像４０からユーザを検出する処理を実行し（Ｓ２０３）、撮影画像４０からユーザが検出されたか否かを判定する（Ｓ２０４）。撮影画像４０からユーザが検出された場合、制御部１１は本処理を終了する。
【０１１２】
一方、撮影画像４０からユーザが検出されなかった場合、制御部１１は、最後にユーザが検出されてからの経過時間が所定時間以上になったか否かを判定する（Ｓ２０５）。最後にユーザが検出されてからの経過時間が所定時間以上になっていない場合、制御部１１は本処理を終了する。
【０１１３】
一方、最後にユーザが検出されてからの経過時間が所定時間以上になった場合、制御部１１は回転抑止フラグを「１」から「０」に更新する（Ｓ２０６）。この場合、画面の自動回転機能が有効となり、その結果として、端末装置１０の傾きに応じて画面が回転するようになる。
【０１１４】
以上説明した端末装置１０によれば、画面の自動回転機能を一時的に抑止することが可能になる。また、端末装置１０によれば、自動的に画面の自動回転機能が一時的に抑止されるため、画面の自動回転機能を一時的に抑止したい場合に、画面の自動回転機能を恒常的に抑止する場合と同様の端末装置１０の設定変更を行う必要がない。端末装置１０によれば、ユーザが煩わしさを感じることなく画面の自動回転機能が一時的に抑止されるようになる。
【０１１５】
また、端末装置１０では、原則として撮影部１５の動作状態が撮影待機状態（オフ状態又はスリープ状態）に設定されており、撮影する必要がある場合（図９のステップＳ１０２，Ｓ１０４及び図１０のステップＳ２０２）に限って、撮影部１５の動作状態が撮影可能状態（オン状態）に設定される。端末装置１０によれば、消費電力を軽減することが可能である。
【０１１６】
なお、本発明は以上に説明した実施形態に限定されるものではない。
【０１１７】
例えば、以上に説明した実施形態では、二つの値（０又は１）が表示方向フラグに設定されるようになっていたが、四つの値（０〜３）が表示方向フラグに設定されるようにしてもよい。この場合、例えば、値「０」は図４に示す状態［ａ］に対応し、値「１」は図４に示す状態［ｅ］に対応する。また、値「２」は、図４に示す状態「ａ」を上下反転させてなる状態に対応し、値「３」は、図４に示す状態「ｅ」を左右反転させてなる状態に対応する。
【符号の説明】
【０１１８】
１０  端末装置、１１  制御部、１２  記憶部、１３  通信部、１４  操作部、１４Ｂ  ボタン、１４Ｔ  タッチパネル、１５  撮影部、１６  姿勢検出センサ、１７  表示部、１８  音声出力部、２０  傾き検出部、２２  表示制御部、２４  画面回転部、２６  撮影画像取得部、２８  比較部、３０  抑止部、３２  抑止継続部、３４  解除部、４０  撮影画像、Ｕ  ユーザ、Ｔ  端末装置。
【図１】
0005799179.tif 000002
【図２】
0005799179.tif 000003
【図３】
0005799179.tif 000004
【図４】
0005799179.tif 000005
【図５】
0005799179.tif 000006
【図６】
0005799179.tif 000007
【図７】
0005799179.tif 000008
【図８】
0005799179.tif 000009
【図９】
0005799179.tif 000010
【図１０】
0005799179.tif 000011
【図１１】
0005799179.tif 000012
【図１２】
0005799179.tif 000013
【図１３】
0005799179.tif 000014
【図１４】
0005799179.tif 000015
【図１５】
0005799179.tif 000016
【図１６】
0005799179.tif 000017